(57)【要約】【課題】ボタン操作中にユーザが機器の様々な動作状況を確実に認識することができる機器を提供することを課題とする。【解決手段】  操作ボタンの周囲を発光させることでボタン操作中でも確認可能とする。具体的には、ボタンの下方にＬＥＤ等の光源を配置し操作ボタンの周囲に光透過部を設けることで、ボタンの周囲を発光させる。  さらに、光源をボタン操作に応じた機器の動作状態を示す点灯パターンで点灯させる。  また、光源にＬＥＤを用い、該ＬＥＤに供給するＰＷＭパターン信号の周期を徐々に変化させてＬＥＤを発光させる。  なお、複数のボタンのうち第1のボタン操作に対応して徐々に変化するＰＷＭパターンで点灯させ、第２のボタン操作に対応して変化しない一定周期のＰＷＭパターンで点灯させる。【選択図】    図４
2009044408.tif 000002
【特許請求の範囲】
【請求項１】
携帯機器の操作ボタンであって、ボタンの下方に光源を有し操作ボタンの周囲に光透過部を有する操作ボタン。
【請求項２】
携帯機器の操作ボタンであって、ボタンの下方に光源を有し複数の操作ボタンの周囲に光透過部を有する操作ボタン。
【請求項３】
前記光源は、操作ボタンによる機器の動作に対応した点灯を行なうことを特徴とする請求項１または２記載の操作ボタン。
【請求項４】
前記光源は発光ダイオードであり、ＰＷＭ信号により点灯することを特徴とする請求項３記載の操作ボタン。
【請求項５】
前記ＰＷＭ信号はＰＷＭパターン周期を徐々に変化させることを特徴とする請求項４記載の操作ボタン。
【請求項６】
前記複数の操作ボタンのうち第1の操作ボタンに対応して徐々に変化するＰＷＭパターンで点灯させ、第２の操作ボタンに対応して変化しない周期のＰＷＭパターンで点灯させることを特徴とする請求項５記載の操作ボタン。
【請求項７】
前記光源はボタンの下方に複数有し、前記光源を各々発光制御することを特徴とする請求項１乃至請求項６記載の操作ボタン。
【発明の詳細な説明】
【技術分野】
【０００１】
この発明は、デジタルカメラ等の携帯型の電子機器に関し、特に撮影ボタン等の指で操作する操作ボタンに関する。
【背景技術】
【０００２】
従来この種の装置の一例として、特許文献１（特開２００５−２４４６１２）に開示されている。
【０００３】
この従来技術によれば、各操作ボタンにＬＥＤを配置してＬＥＤの点灯によりボタン自体を光らせることで操作方法のガイドを行なうものが開示されている。
【０００４】
また、特許文献２（特開平７−３０３２０４）にはＬＥＤをＰＷＭ信号により点滅させる技術が開示されている。
【特許文献１】特開２００５−２４４６１２号公報
【特許文献２】特開平７−３０３２０４号公報
【発明の開示】
【発明が解決しようとする課題】
【０００５】
しかし、上記従来技術は操作する前に使用するボタンを認識するための技術であり、操作ボタン自体が光るため操作者が指でボタンを押している間、光は指で遮断され操作者は視認することができないものである。従って、ボタンを操作しながら点灯状態を確認することができないという問題があった。
【０００６】
また、上記特許文献２に開示されている技術は各動作時にＬＥＤの点滅を行なうが、１つの動作に対して一定周期（２５０ミリ秒または５００ミリ秒の等間隔）のパルスで点灯させるものである。一定周期の点灯は比較して対比しなければ区別がつきにくいため、多くの動作を周期に対応させることで機器の動作を認識させることは困難であるという問題があった。
【０００７】
それゆえに、この発明の目的はボタン操作中にユーザが機器の様々な動作状況を確実に認識することができる機器を提供することである。
【課題を解決するための手段】
【０００８】
本発明は、上記課題を解決するために操作ボタンの周囲を発光させることでボタン操作中でも確認可能とする。具体的には、ボタンの下方にＬＥＤ等の光源を配置し操作ボタンの周囲に光透過部を設けることで、ボタンの周囲を発光させる。
【０００９】
さらに、光源をボタン操作に応じた機器の動作状態を示す点灯パターンで点灯させる。また、光源にＬＥＤを用い、該ＬＥＤに供給するＰＷＭパターン信号の周期を徐々に変化させてＬＥＤを発光させる。なお、複数のボタンのうち第1のボタン操作に対応して徐々に変化するＰＷＭパターンで点灯させ、第２のボタン操作に対応して変化しない一定周期のＰＷＭパターンで点灯させる。また、複数のＬＥＤを独立して点灯制御して発光させる。
【発明の効果】
【００１０】
本発明によれば操作ボタンの周囲を光るようにしたことにより、操作者はボタンの位置に視線を置いたままで動作状態を認識でき操作性に優れたものとなる。また、様々な発光パターンで点灯させるため発光パターンで動作状態の区別が容易となり確実に動作認識ができるようになる。さらに、ボタンの周囲を発光させることでＬＥＤを筐体に直接取り付ける必要がなく、省スペース化となり機器の小型化が可能となる。
【発明を実施するための最良の形態】
【００１１】
図１を参照して、この実施例のデジタルカメラ１は、光学レンズ２を含む。被写界の光学像は、光学レンズ２を介してＣＣＤイメージャ３の撮像面に照射される。撮像面では、光電変換によって被写界の光学像に対応する電荷つまり画像信号が生成される。
【００１２】
この実施例のデジタルカメラ１は、再生モードおよび撮影モードを有する。再生／撮影モード選択スイッチ４が再生モードを示す位置に合わされると、デジタルカメラ１が再生モードに設定される。一方、再生／撮影モード選択スイッチ４が撮影モードを示す位置に合わされると、デジタルカメラ１が撮影モードに設定される。
【００１３】
再生／撮影モード選択スイッチ４を撮影モード位置に合わせる操作が行われると、ＣＰＵ５は撮影タスクを起動する。このとき、被写界のリアルタイム動画像つまりスルー画像をＬＣＤパネル６に表示すべく、スルー画像処理が実行される。
【００１４】
具体的には、ＣＰＵ５は、プリ露光および間引き読み出しの繰り返しをタイミングジェネレータ７に命令する。タイミングジェネレータ７は、ＣＣＤイメージャ３のプリ露光と、これによって生成された画像信号の間引き読み出しとを繰り返し実行する。タイミングジェネレータ７はまた、画素クロック，水平同期信号Ｈｓｙｎｃおよび垂直同期信号Ｖｓｙｎｃを含む複数のタイミング信号を発生する。ドライバ８は、かかるタイミング信号に応答してＣＣＤイメージャ３を駆動する。この結果、垂直同期信号Ｖｓｙｎｃは１／３０秒毎に発生し、画像信号は１／３０秒に１フレームの割合でＣＣＤイメージャ３から出力される。
【００１５】
ＣＤＳ／ＡＧＣ／ＡＤ回路９は、ＣＣＤイメージャ３から出力された画像信号に、相関２重サンプリング，自動ゲイン調整およびＡ／Ｄ変換の一連の処理を施す。信号処理回路１０は、ＣＤＳ／ＡＧＣ／ＡＤ回路９から出力された生画像データに，クランプ，白バランス調整およびＹＵＶ変換などの一連の処理を施し、こうして得られた低解像度の画像データの書き込み要求がメモリ制御回路１１に与えられる。
【００１６】
メモリ制御回路１１によって書き込みが許可されると、信号処理回路１０はバス１２を通して所定量の画像データをメモリ制御回路１１に与える。所定量の画像データは、メモリ制御回路１１によってＳＤＲＡＭ１３に書き込まれる。こうして、低解像度の画像データがＳＤＲＡＭ１３に所定量ずつ格納される。
【００１７】
ＬＣＤドライバ１４は、ＳＤＲＡＭ１３に格納された画像データを１／３０秒に１フレームの割合で読み出すべく、読み出し要求をメモリ制御回路１１に向けて繰り返し与える。メモリ制御回路１１はＳＤＲＡＭ１３から所定量の画像データを読み出し、読み出された画像データはバス１２を介してＬＣＤドライバ１４に与えられる。ＬＣＤドライバ１４は、メモリ制御回路１１から与えられた画像データをＮＴＳＣフォーマットに従うコンポジットビデオ信号に変換し、変換されたコンポジットビデオ信号をＬＣＤパネル６に与える。この結果、ＬＣＤパネル１４上に被写界のスルー画像が表示される。
【００１８】
静止画撮影ボタン１５を押下する操作が行われると、システムコントローラ１６はＣＰＵ５に静止画撮影命令を出力し、この静止画撮影命令に従って撮影処理が実行される。  ＣＰＵ５は、本露光及び全画素読み出しの実行をタイミングジェネレータ７に命令し、ドライバ８にＣＣＤイメージャ３の駆動を命令する。タイミングジェネレータ７は、ＣＣＤイメージャ３に本露光を施し、本露光によって生成された全ての電荷がＣＤＳ／ＡＧＣ／ＡＤ回路９に向けて出力される。そして、上述と同様の処理が実行され、高解像度の画像データがＳＤＲＡＭ１３に格納される。
【００１９】
画像データがＳＤＲＡＭ１３に格納されると、ＣＰＵ５は次に、ＪＰＥＧ圧縮をＪＰＥＧコーデック１７に命令する。ＪＰＥＧコーデック１７は、ＳＤＲＡＭ１３に格納された高解像度の画像データをメモリ制御回路１１を通して読み出し、読み出された画像データにＪＰＥＧ圧縮を施し、そして圧縮画像データをメモリ制御回路１１を通してＳＤＲＡＭ１３に書き込む。こうして、圧縮画像データがＳＤＲＡＭ１３に格納される。
【００２０】
なお、バス１２上での画像データの転送速度は、信号処理回路１０，ＬＣＤドライバ１４およびＪＰＥＧコーデック１７の各々の処理速度よりも格段に速い。このため、画像データがバス１２上で衝突することはなく、データ転送処理が破綻することもない。
【００２１】
圧縮画像データがＳＤＲＡＭ１３に格納されると、記録処理が実行される。具体的には、ＣＰＵ５は記録媒体１８への記録命令をＩ／Ｆ回路１９に発行し、Ｉ／Ｆ回路１９はメモリ制御回路１１に圧縮画像データの読み出し要求を発行する。メモリ制御回路１１はＳＤＲＡＭ１３に格納された圧縮画像データを読み出し、読み出された圧縮画像データを含む画像ファイルはＩ／Ｆ回路１９によって記録媒体１８に記録される。
【００２２】
また、動画撮影ボタン２０を押下する操作が行われると、システムコントローラ１６はＣＰＵ５に動画撮影命令を出力し、この動画撮影命令に従って撮影処理が実行される。ＣＰＵ５は、動画用の露光とこれによって生成された生画像信号の間引き読み出しとを繰り返し実行する。イメージセンサ３からは、被写体の光学像に対応する解像度の生画像信号が出力される。出力された生画像信号は、信号処理回路１０によってＡ／Ｄ変換，色分離，ＹＵＶ変換などの処理を施され、ＹＵＶ形式の画像データに変換される。変換された画像データはメモリ制御回路１１によってＳＤＲＡＭ１３に書き込まれ、その後ＳＤＲＡＭ１３から読み出される。読み出された画像データは、ＭＰＥＧコーデック２１に与えられ、ＭＰＥＧ圧縮を施される。ＭＰＥＧ圧縮を施された画像データは、ＳＤＲＡＭ１３に書き込まれ、その後ＳＤＲＡＭ１３から読み出される。ＣＰＵ５は、読み出された圧縮画像データをＭＰＥＧファイル形式でＩ／Ｆ回路１９によって記録媒体１８に記録される。  なお、記録媒体１８は着脱自在であり、装着されたときにＣＰＵ５によってアクセス可能となる。
【００２３】
再生モード切換操作つまり再生／撮影選択スイッチ４を再生モードにする操作され、メニューに従い選択・決定ボタン２２により画像再生が指示されるとＣＰＵ５は再生処理を行う。このとき、記録媒体１８に記録された所望の画像ファイルはＩ／Ｆ回路１９によって読み出され、Ｉ／Ｆ回路１９はこの画像ファイルに含まれる圧縮画像データをメモリ制御回路１１を通してＳＤＲＡＭ１３に書き込む。圧縮画像データがＳＤＲＡＭ１３に格納されると、表示処理が実行される。具体的には、書き込まれた圧縮画像データはメモリ制御回路１１によって読み出され、メモリ制御回路１１は読み出した圧縮画像データをデータ形式に応じＪＰＥＧコーデック１７またはＭＰＥＧコーデック２１に与える。ＪＰＥＧコーデック１７またはＭＰＥＧコーデック２１は、圧縮画像データに伸長処理を施し、こうして得られた伸長画像データをメモリ制御回路１３を通してＳＤＲＡＭ１３に書き込む。書き込まれた伸長画像データはメモリ制御回路１３を介してＬＣＤドライバ１４によって読み出される。ＬＣＤドライバ１４は、メモリ制御回路１１から読み出した伸長画像データをＮＴＳＣフォーマットに従うコンポジットビデオ信号に変換し、変換されたコンポジットビデオ信号をＬＣＤパネル６に与える。この結果、ＬＣＤパネル６に所望の画像が表示される。
【００２４】
ＬＥＤ２３は、警告およびメモリアクセス中であることを示すインジケータであり、赤緑橙の３色の表示が可能である。ＬＥＤ２４は、電源のＯＮ／ＯＦＦ時、各種モード移行時、撮影、再生時に動作状態を示すためのインジケータであり、青色ＬＥＤが使用される。これらのＬＥＤはシステムコントローラ１６の出力ポートに接続され、ＣＰＵ５の指示により各動作に対応したＰＷＭパターンの信号により発光される。
【００２５】
この実施例のデジタルカメラ１は図２に示すように筐体の正面に光学レンズ３０が設けられるとともに側面に電源ボタン２９を、背面に各種操作釦３１〜３７が設けられている。
【００２６】
電源ボタン２９は電源のＯＮ／ＯＦＦを行なうボタンであり、１秒以上押し続けることで電源ＯＮまたはＯＦＦの動作が行なわれる。また、側面に開閉可能なＬＣＤパネルが取り付けられており、電源のＯＮ／ＯＦＦはこのＬＣＤのパネルの開閉に連動しており、開閉操作によっても行なわれる。
【００２７】
再生／撮影モード切替スイッチ３１は静止画または動画撮影を行なう撮影モードと撮影された静止画または動画の再生を行なう再生モードを切替えるスイッチである。ズームスイッチ３５は、レンズ移動または電子的に画像処理を行うことで望遠あるいは広角画像を得るためのスライドスイッチである。メニューボタン３２は各種設定を行なうためのアイコンをＬＣＤパネルに表示させるボタンであり、メニュー表示されたアイコンを選択し決定する選択／決定ボタン３３により所望の設定を行なうものである。静止画撮影ボタン３６は静止画撮影を行なうシャッタボタンであり、動画撮影ボタン３７は動画撮影を行なうボタンである。この静止画撮影ボタン３６，動画撮影ボタン３７は筐体を握った状態で親指で釦操作を行なうようになっている。
【００２８】
この背面に設けられたボタン構造は図４に示すように撮影ボタン３６，３７の周囲に透明の樹脂製リング３４が配置されている。そして、プリント基板３８上に４つの青色ＬＥＤ３９が取り付けられており、青色ＬＥＤ３９の光が樹脂製リング３４を透過する。この透過光により操作者はボタンの周囲から青色ＬＥＤ３９の点灯を視認することができることとなる。
【００２９】
この青色ＬＥＤ３９の点灯は、電源のＯＮ／ＯＦＦ時，スリープ・スタンバイ移行時／復帰時およびモード切替時に図５に示すパターン１のＰＷＭ信号を供給することで直に点灯させた後1秒かけて徐々に消灯させる。
【００３０】
静止画撮影時および再生画送り時にはパターン２のＰＷＭ信号により０．５秒間点灯させる。動画撮影中および動画／音声再生中およびスライドショー実施中にはパターン３のＰＷＭ信号を繰り返し供給することで０．５Ｈｚの周期で徐々に発光させた後徐々に消灯させる動作を繰り返す。なお、上部には赤緑橙の３色ＬＥＤ３８が取り付けられており、バッテリ充電エラー、メモリカードアクセス時等に点灯させ、警告等の表示に用いる。
【００３１】
ＣＰＵ５は、μＩＴＲＯＮのようなマルチタスクＯＳに従って動作するＣＰＵであり、図６〜図１０に示すフローチャートに従う処理を行う。
【００３２】
まず、ステップＳ１で電源スイッチがオンされたかどうか判断し、ＹＥＳであれば
ステップ２で電源ＯＮを示すＬＥＤ点灯命令をシステムコントローラ１６に出力する。
【００３３】
具体的には、発光させるＬＥＤであるＬＥＤ＿Ａと点灯させるＰＷＭパターン１をセットしてシステムコントローラ１６にＬＥＤ  ＯＮ命令を発行する。
【００３４】
ステップＳ３でスルー画像表示処理を行なう。これによって、スルー画像がＬＣＤパネル６に表示される。ステップＳ４ではメニューキーが操作されたかどうか判断し、ここでＹＥＳと判断されたときにステップＳ５に進む。ステップＳ５では、メニュー画像をＬＣＤパネル６に表示する。ステップＳ６では、メニュー操作処理を行ない、メニュー操作処理が完了すると、ステップＳ７でスルー画像表示処理を再開してからステップＳ４に戻る。
【００３５】
ステップＳ４でＮＯと判断されるとステップＳ８に進み、静止画撮影ボタン１５の操作の有無を判別する。ここで、ＹＥＳであればステップＳ９に進み静止画撮影処理を図7のフローに従って実行される。静止画撮影処理では、ステップＳ１２でＬＥＤ２４をＰＷＭパターン２で発光させるためにＬＥＤ＿ＡおよびＰＷＭパターン２を設定しＬＥＤ＿ＯＮ命令をシステムコントローラ１６に発行する。ステップＳ１３では上述したようにＣＣＤイメージャ３の出力をＪＰＥＧ圧縮してＳＤＲＡＭ１３に格納する。ステップＳ１４では、ＳＤＲＡＭ１３に格納された圧縮画像データを読み出し記録媒体１８に記録する。
【００３６】
動画撮影処理は図８のフローに従って実行される。
【００３７】
ステップＳ１５でＬＥＤ２４をＰＷＭパターン３で発光させるためにＬＥＤ＿ＡおよびＰＷＭパターン３を設定しＬＥＤ＿ＯＮ命令をシステムコントローラ１６に発行する。その後、ステップＳ１６で上述したようにＣＣＤイメージャ３の出力をＭＰＥＧ圧縮してＳＤＲＡＭ１３に格納する。ステップＳ１４では、ＳＤＲＡＭ１３に格納された圧縮画像データを読み出し記録媒体１８に記録する。その後、ＬＥＤ＿ＯＦＦ命令をシステムコントローラ１６に出力する。これにより、動画撮影中にはＬＥＤ２４にＰＷＭパターン３の出力を繰り返し出力され、動画撮影が終了するとＬＥＤは消灯されることとなる。
【００３８】
静止画再生時は、ステップＳ１９で、ＬＣＤパネル６に表示すべきファイルを選択する。その後、ステップＳ２０でＬＥＤ２４をＰＷＭパターン２で発光させるためにＬＥＤ＿ＡおよびＰＷＭパターン２を設定しＬＥＤ＿ＯＮ命令をシステムコントローラ１６に発行する。次にステップ２１で再生処理を実行する。選択したファイルの再生指示をＩ／Ｆ回路１９に与え、この指示に従って記録媒体１８の該当のファイルから圧縮された静止画像データを読み出し、読み出した静止画像データをＳＤＲＡＭ１３に書き込む。ステップＳ２２では、表示処理を実行する。メモリ制御回路１１およびＬＣＤドライバ１４に処理命令を与えことで選択されたファイルに格納された静止画像データをＪＰＥＧコーデック１７で伸張してＬＣＤパネル６に表示する。
【００３９】
動画再生時は、ステップＳ２３で、ＬＣＤパネル６に再生すべき動画ファイルを選択する。その後、ステップＳ２４でＬＥＤ２４をＰＷＭパターン３で発光させるためにＬＥＤ＿ＡおよびＰＷＭパターン３を設定しＬＥＤ＿ＯＮ命令をシステムコントローラ１６に発行する。次にステップ２５で動画再生処理を実行する。選択したファイルの再生指示をＩ／Ｆ回路１９に与え、この指示に従って記録媒体１８の該当の動画ファイルから圧縮動画像データを読み出し、読み出した動画像データをＳＤＲＡＭ１３に書き込む。ステップＳ２６では、ＭＰＥＧコーデック２１により復号して表示処理を実行する。メモリ制御回路１１およびＬＣＤドライバ１４に処理命令を与えることで選択されたファイルに格納された動画像データを復号してＬＣＤパネル６に表示する。
【００４０】
表示が終わると、ステップＳ２７でＬＥＤ＿ＯＦＦ命令をシステムコントローラ１６に出力する。これにより、動画再生中にはＬＥＤ２４にＰＷＭパターン３の出力を繰り返し出力され、動画再生が終了するとＬＥＤは消灯されることとなる。
【００４１】
システムコントローラ１６は、電源ボタン、操作ボタン等により操作された動作を判別してＣＰＵ５に命令を出力するとともに、ＣＰＵ５からの命令によりＰＷＭパターン信号を対応する出力ポートからＬＥＤに出力する。ＰＷＭ信号のパターンはシステムコンとローラ１６内のメモリに上述した図７に示す複数のパターンが格納されている。
【００４２】
具体的には図１１に示すフロー図に従う処理を行う。
【００４３】
ステップＳ２８では、起動操作が行われるまで待機する。電源ボタンが押下されると、ステップＳ２９で起動信号をＣＰＵ５に出力する。ステップＳ３０では、再生／撮影選択スイッチ４によるモード切換操作が行われたか否かを判別する。モード切換操作が行われるとステップＳ３１で再生／撮影選択スイッチ４に対応するモード設定を行う。このとき、再生／撮影選択スイッチ４が再生モードの位置に合わせられると、再生モードに切り換わる一方、再生／撮影選択スイッチ４が撮影モードに合わせられると、撮影モードに切り換わる。
【００４４】
ステップＳ３２では、静止画撮影ボタン１５が押されたか否かを判別する。静止画撮影ボタン操作が行われるとステップＳ３３で静止画撮影命令をＣＰＵ５に出力する。ステップＳ３４では、動画撮影ボタン２０が押されたか否かを判別する。動画撮影ボタン操作が行われるとステップＳ３５で静止画撮影命令をＣＰＵ５に出力する。ステップＳ３６では、ＣＰＵ５によってＬＥＤ＿ＯＮ命令が与えられたか否かを判別する。ＬＥＤ＿ＯＮ命令が与えられると、ステップＳ３７でＣＰＵ５が設定したＰＷＭパターン番号に対応したＰＷＭ信号をシステムコントローラ１６のメモリのＰＷＭパターンを参照してＣＰＵ５が設定したＬＥＤに対応する出力ポートから出力する。
【００４５】
ステップＳ３８では、ＣＰＵ５によってＬＥＤ＿ＯＦＦ命令が与えられたか否かを判別する。ＬＥＤ＿ＯＦＦ命令が与えられると、ステップＳ３９でＣＰＵ５が設定したＬＥＤに対応するポートの出力を０レベルとする。
【００４６】
以上説明したように、本実施例によれば上述のＣＰＵ５の動作とシステムコントローラ１６の動作により、電源のＯＮ／ＯＦＦ時はＬＥＤ２４が点灯後1秒かけて授受に徐々に消灯する。また、ボタン操作により静止画撮影を行う場合および静止画再生を行う場合には０．５秒のみＬＥＤ２４が点灯する。動画撮影を行なう場合および動画再生を行う場合には０．５Ｈｚの周期徐々に点灯、消灯を繰り返し行なわれることとなる。なお、上記実施例では４つのＬＥＤ２４の点灯を同時に点灯させる場合について示したが、複数のＬＥＤを独立して制御し順次点灯させることでボタン周囲の点灯が回転しているように示すことも可能であり、さらに操作状況の認識が容易になる。
【図面の簡単な説明】
【００４７】
【図１】本発明の一実施形態におけるシステムブロック図である。
【図２】本発明の一実施形態におけるデジタルカメラの前面図である。
【図３】本発明の一実施形態におけるデジタルカメラの背面図である。
【図４】本発明の一実施形態における操作ボタンの構造図である。
【図５】本発明におけるＰＷＭ信号パターンを示す図である。
【図６】ＣＰＵ動作のフローチャートである。
【図７】ＣＰＵ動作のフローチャートである。
【図８】ＣＰＵ動作のフローチャートである。
【図９】ＣＰＵ動作のフローチャートである。
【図１０】ＣＰＵ動作のフローチャートである。
【図１１】システムコントローラのフローチャートである。
【符号の説明】
【００４８】
１・・・デジタルカメラ
５・・・ＣＰＵ
１５・・・静止画撮影ボタン
１６・・・システムコントローラ
２０・・・動画撮影ボタン
２３・・・ＬＥＤ＿Ｂ
２４・・・ＬＥＤ＿Ａ
２９・・・電源ボタン
３１・・・再生／撮影モード切替スイッチ
３２・・・メニューボタン
３３・・・選択・決定ボタン
３４・・・透明樹脂製リング（光透過部）
３５・・・ズームスイッチ
３６・・・静止画撮影ボタン
３７・・・動画撮影ボタン
【図１】
2009044408.tif 000003
【図２】
2009044408.tif 000004
【図３】
2009044408.tif 000005
【図４】
2009044408.tif 000006
【図５】
2009044408.tif 000007
【図６】
2009044408.tif 000008
【図７】
2009044408.tif 000009
【図８】
2009044408.tif 000010
【図９】
2009044408.tif 000011
【図１０】
2009044408.tif 000012
【図１１】
2009044408.tif 000013